(57)【要約】【課題】会議の途中で入退出する参加者に対して機密となる内容が漏えいするようなセキュリティの問題を解消する記録再生システム、記録再生方法、及びプログラムを提供する。【解決手段】本発明に係る記録再生システムは、記録エリアにおける会議の様子を撮影した映像データと、記録エリアに入退出する参加者毎の入退出時間とを記録する記録手段を備える。また、映像データの再生を望む第１の閲覧者を、会議の参加者の中から特定する第１の特定手段と、特定された第１の閲覧者の入退出時間に応じて、映像データの再生可能時間帯を決定する決定手段を備える。また、決定した再生可能時間帯にしたがって映像データを再生する再生手段を備える。【選択図】図１
2016111600.tif 000002
【特許請求の範囲】
【請求項１】
記録エリアにおける会議の様子を撮影した映像データと、前記記録エリアに入退出する参加者毎の入退出時間とを記録する記録手段と、
前記映像データの再生を望む第１の閲覧者を、前記会議の参加者の中から特定する第１の特定手段と、
特定された前記第１の閲覧者の入退出時間に応じて、前記映像データの再生可能時間帯を決定する決定手段と、
前記決定した再生可能時間帯にしたがって前記映像データを再生する再生手段と
を備えたことを特徴とする記録再生システム。
【請求項２】
前記映像データの閲覧を望む、前記第１の特定手段によって特定された前記第１の閲覧者とは異なる第２の閲覧者を、前記会議の参加者の中から特定する第２の特定手段を更に備え、
前記決定手段は、前記第１の特定手段によって特定された前記第１の閲覧者の入退出時間と、前記第２の特定手段によって特定された前記第２の閲覧者の入退出時間とに応じて、前記映像データの前記再生可能時間帯を決定する
ことを特徴とする請求項１記載の記録再生システム。
【請求項３】
前記決定手段は、前記第１の特定手段によって特定された前記第１の閲覧者の入退出時間であり、かつ、前記第２の特定手段によって特定された前記第２の閲覧者の入退出時間である時間帯を、前記再生可能時間帯として決定することを特徴とする請求項２に記載の記録再生システム。
【請求項４】
前記決定手段は、前記第１の特定手段によって特定された前記第１の閲覧者の入退出時間、あるいは、前記第２の特定手段によって特定された前記第２の閲覧者の入退出時間である時間帯を、前記再生可能時間帯として決定することを特徴とする請求項２に記載の記録再生システム。
【請求項５】
前記映像データの再生中に再生時間の変更要求を受信し、前記変更要求で要求されている変更後の再生時間が前記再生可能時間帯に含まれない場合に、前記映像データを閲覧している前記会議の参加者の中から、前記変更要求で要求されている変更後の再生時間が入退出時間に含まれる参加者が前記第１の閲覧者と共に前記映像データを閲覧しているか判定する判定手段と、
前記判定手段によって前記第１の閲覧者と共に前記映像データを閲覧していると判定された場合、前記変更後の再生時間からの再生許可の依頼を通知する通知手段とを更に備え、
前記再生手段は、前記変更後の再生時間の再生が許可された場合に、前記変更後の再生時間から前記映像データを再生することを特徴とする請求項１乃至３のいずれか１項に記載の記録再生システム。
【請求項６】
前記記録手段は、前記記録エリア内の参加者の人数に応じて、前記映像データを記録することを特徴とする請求項１乃至５のいずれか１項に記載の記録再生システム。
【請求項７】
前記映像データの再生を望む前記第１の閲覧者に対して、記録された前記映像データのリストを表示する表示手段と、
前記映像データのリストから選択された映像データの再生指示要求を取得する取得手段と
をさらに備えたことを特徴とする請求項１乃至６のいずれか１項に記載の記録再生システム。
【請求項８】
前記記録手段は、前記記録エリアに入退出する参加者が所持する認証用カードをカードリーダで読取ることによって前記入退出時間を記録することを特徴とする請求項１乃至７のいずれか１項に記載の記録再生システム。
【請求項９】
前記記録手段は、カメラを用いて前記記録エリアに入退出する参加者の顔認証を行なうことにより、前記入退出時間を記録することを特徴とする請求項１乃至８のいずれか１項に記載の記録再生システム。
【請求項１０】
コンピュータを請求項１乃至９のいずれか１項に記載の記録再生システムとして機能させるためのプログラム。
【請求項１１】
記録エリアにおける会議の様子を撮影した映像データと、前記記録エリアに入退出する参加者毎の入退出時間とを記録するステップと、
前記映像データの再生を望む第１の閲覧者を、前記会議の参加者の中から特定するステップと、
特定された前記第１の閲覧者の入退出時間に応じて、前記映像データの再生可能時間帯を決定するステップと、
前記決定した再生可能時間帯にしたがって前記映像データを再生するステップと
を含むことを特徴とする記録再生方法。
【発明の詳細な説明】
【技術分野】
【０００１】
本発明は、会議や打合せの様子を撮影して映像データとして記録し、再生することができる記録再生システム、記録再生方法、及びプログラムに関する。
【背景技術】
【０００２】
従来、会議や打合せなどの様子をカメラやマイクによって撮影し、映像データ（動画及び音声データ）として記録することが行われている。特許文献１は、会議室に入退出した参加者と入退出時間を記録しておき、参加者が後から映像データを再生し、参照できる技術を開示している。
【先行技術文献】
【特許文献】
【０００３】
【特許文献１】特開２０１２−０８４０２６号公報
【発明の概要】
【発明が解決しようとする課題】
【０００４】
会議や打合せでは、その途中で入退出する参加者がいる場合がある。特許文献１では、このような参加者も、会議や打合せに一時的ではあるが参加しているため、不在であった時間帯を含め、会議や打合せの全時間帯の映像データを再生し、参照することができる。
【０００５】
しかしながら、途中退出した参加者に対して機密となる内容が、退出後の時間帯に残りの参加者間で話されていた場合、途中退出した参加者が会議や打合せの全時間帯の映像データを再生できてしまうと、機密となる内容が漏えいしてしまう恐れがあった。また、途中入室した参加者に対して機密となる内容が、入室前に他の参加者間で話されていた場合も同様であった。
【課題を解決するための手段】
【０００６】
上記課題を解決すべく、本発明に係る記録再生システムは、記録エリアにおける会議の様子を撮影した映像データと、記録エリアに入退出する参加者毎の入退出時間とを記録する記録手段を備える。また、映像データの再生を望む第１の閲覧者を、会議の参加者の中から特定する第１の特定手段と、特定された第１の閲覧者の入退出時間に応じて、映像データの再生可能時間帯を決定する決定手段を備える。また、決定した再生可能時間帯にしたがって映像データを再生する再生手段を備える。 
【発明の効果】
【０００７】
本発明によれば、会議の途中に入退出する参加者の入退出時間を記録しておき、当該入退出時間に基づいて映像データの再生可能な時間帯を決定するため、機密となる内容が漏えいするようなセキュリティの問題を解消することができる。
【図面の簡単な説明】
【０００８】
【図１】本発明の一実施形態における記録再生システムの構成を示す図である。
【図２】本発明の一実施形態における記録用デバイスの内部構成を示す図である。
【図３】本発明の一実施形態におけるサーバの内部構成を示す図である。
【図４】本発明の一実施形態における再生用デバイスの内部構成を示す図である。
【図５】本発明の一実施形態におけるサーバに保存されたデータベースを示す図である。
【図６】本発明の一実施形態における映像データの記録処理のフローチャートを示す図である。
【図７】本発明の一実施形態における映像データの再生可能時間帯決定処理のフローチャートを示す図である。
【図８】本発明の一実施形態における映像データの配信処理のフローチャートを示す図である。
【図９】本発明の一実施形態における、再生用デバイスで映像データを再生する画面例である。
【図１０】本発明の一実施形態における、記録用デバイスに保持されるデータ構造である在室リストを示す図である。
【図１１】本発明の一実施形態における映像データの再生可能時間帯決定処理のフローチャートを示す図である。
【図１２】本発明の一実施形態における映像データの配信処理のフローチャートを示す図である。
【図１３】本発明の一実施形態における、再生用デバイスに通知される依頼画面である。
【図１４】本発明の一実施形態における映像データの再生可能時間帯決定処理のフローチャートを示す図である。
【図１５】本発明の一実施形態における再生可能時間帯を示す図である。
【図１６】本発明の一実施形態における再生可能時間帯を示す図である。
【発明を実施するための形態】
【０００９】
以下、本発明を実施するための形態について図面を用いて説明する。複数の図面を通して同一の符号は、同一物を表す。
【００１０】
（第１の実施形態）
図１は、本発明の一実施形態における記録再生システムの構成を示す図である。本システムは、記録システム１００、サーバ１０２、及び再生用デバイス１０３を含む。記録システム１００は、記録用デバイス１０１、カメラ１０４、マイク１０５、及びカードリーダ１０６を含む。記録システム１００は、会議や打合せ等が行われる場である記録エリア（例えば、会議室）に設置され、その場の様子の映像と音声を、カメラ１０４とマイク１０５を用いて映像データとして記録する。記録システム１００、サーバ１０２、及び再生用デバイス１０３は、ＬＡＮやＷＡＮなどに代表されるネットワーク１１０を介して、相互に通信可能に接続されている。なお、図１に示す記録システム１００では、記録用デバイス１０１にカメラ１０４、マイク１０５、及びカードリーダ１０６が接続されているが、記録用デバイス１０１自体が、カメラ、マイク、及びカードリーダの機能を有してもよい。再生用デバイス１０３は、記録された映像データを再生する。また、図１では、例として１台の再生用デバイス１０３を示したが、複数台用意してもよく、例えば、映像データの再生を望む閲覧者毎に用意してもよい。
【００１１】
図２は、本実施形態における記録用デバイス１０１の内部構成を示す図である。記録用デバイス１０１は、ＣＰＵ２０１、ＲＡＭ２０２、ＲＯＭ２０３、ネットワークＩ／Ｆ２０４、キーボードＩ／Ｆ２０６、マウスＩ／Ｆ２０７、外部Ｉ／Ｆ２０８、映像Ｉ／Ｆ２０９、音声Ｉ／Ｆ２１０を有する。これらは、システムバス２０５で接続されている。
【００１２】
キーボードＩ／Ｆ２０６にはキーボード２１１が接続され、マウスＩ／Ｆ２０７にはマウス２１２が接続される。記録用デバイス１０１は、ユーザがキーボード２１１及びマウス２１２を使用して入力した入力情報を受け付ける。
【００１３】
外部Ｉ／Ｆ２０８にはＨＤＤ等の外部メモリ２１３とカードリーダ１０６が接続される。カードリーダ１０６が読取ったカードのＩＣチップや磁気テープに記録された情報は、記録用デバイス１０１が入力情報として受け付ける。なお、カードリーダ１０６によるカードの読取りは、接触方式や非接触方式など任意の方式で行なってよい。
【００１４】
映像Ｉ／Ｆ２０９にはカメラ１０４が、音声Ｉ／Ｆ２１０にはマイク１０５がそれぞれ接続される。カメラ１０４やマイク１０５は記録システム１００が設置された場（記録エリア）の様子を撮影・録音し、映像及び音声信号を記録用デバイス１０１に入力し、記録用デバイス１０１では入力信号をデジタル信号に変換する。さらに、記録用デバイス１０１は、変換したデジタル信号を周知の圧縮アルゴリズムにより圧縮し、記録用デバイス１０１内のＨＤＤ等にファイルとして保存する。ファイルの形式は、mp4、mov、wmv、aviなど、任意の形式とすることができる。本実施形態では、カメラとマイクは会議や打合せ等が行われる場である記録エリアに一台ずつ設置されたものとして説明するが、複数設置してもよい。
【００１５】
ＣＰＵ２０１は、記録用デバイス１０１全体の制御を行い、ＲＯＭ２０３やＨＤＤ等の外部メモリ２１３などに記憶された本実施形態を実現するプログラムを、ＲＡＭ２０２に読み込み、各種処理を実行する。すなわち、ＣＰＵ２０１は、コンピュータ読み取り可能な記憶媒体に記憶されたコンピュータプログラムを実行することにより、後述するフローチャートの各ステップを実行する処理部（処理手段）として機能する。
【００１６】
ＲＯＭ２０３は、ＣＰＵ２０１を起動するためのプログラムを含む各種データを記憶している。ＲＡＭ２０２は、ワークメモリとして用いられる。
【００１７】
図３は、本実施形態におけるサーバ１０２の内部構成を示す図である。サーバ１０２は、ＣＰＵ３０１、ＲＡＭ３０２、ＲＯＭ３０３、ネットワークＩ／Ｆ３０４、キーボードＩ／Ｆ３０６、マウスＩ／Ｆ３０７、外部Ｉ／Ｆ３０８、ディスプレイＩ／Ｆ３０９を有する。これらは、システムバス３０５で接続されている。
【００１８】
キーボードＩ／Ｆ３０６にはキーボード３１０が接続され、マウスＩ／Ｆ３０７にはマウス３１１が接続される。サーバ１０２は、ユーザがキーボード３１０及びマウス３１１で入力した入力情報を受け付ける。
【００１９】
外部Ｉ／Ｆ３０８にはＨＤＤ等の外部メモリ３１２が接続される。ディスプレイＩ／Ｆ３０９にはディスプレイ３１３が接続される。
【００２０】
ＣＰＵ３０１は、サーバ１０２全体の制御を行い、ＲＯＭ３０３やＨＤＤ等の外部メモリ３１２などに記憶された本実施例を実現するプログラムを、ＲＡＭ３０２に読み込み、各種処理を実行する。すなわち、ＣＰＵ３０１は、コンピュータ読み取り可能な記憶媒体に記憶されたコンピュータプログラムを実行することにより、後述するフローチャートの各ステップを実行する処理部（処理手段）として機能する。
【００２１】
ＲＯＭ３０３は、ＣＰＵ３０１を起動するためのプログラムを含む各種データを記憶している。ＲＡＭ３０２は、ワークメモリとして用いられる。
【００２２】
図４は、本実施形態における再生用デバイス１０３の内部構成を示す図である。再生用デバイス１０３は、ＣＰＵ４０１、ＲＡＭ４０２、ＲＯＭ４０３、ネットワークＩ／Ｆ４０４、キーボードＩ／Ｆ４０６、マウスＩ／Ｆ４０７、外部Ｉ／Ｆ４０８、ディスプレイＩ／Ｆ４０９を有する。これらは、システムバス４０５で接続されている。
【００２３】
キーボードＩ／Ｆ４０６にはキーボード４１０が接続され、マウスＩ／Ｆ４０７にはマウス４１１が接続される。再生用デバイス１０３は、ユーザがキーボード４１０及びマウス４１１で入力した入力情報を受け付ける。
【００２４】
外部Ｉ／Ｆ４０８にはＨＤＤ等の外部メモリ４１２が接続される。ディスプレイＩ／Ｆ４０９にはディスプレイ４１３が接続される。
【００２５】
ＣＰＵ４０１は、再生用デバイス１０３全体の制御を行い、ＲＯＭ４０３やＨＤＤ等の外部メモリ４１２などに記憶された本実施例を実現するプログラムを、ＲＡＭ４０２に読み込み、各種処理を実行する。すなわち、ＣＰＵ４０１は、コンピュータ読み取り可能な記憶媒体に記憶されたコンピュータプログラムを実行することにより、後述するフローチャートの各ステップを実行する処理部（処理手段）として機能する。
【００２６】
ＲＯＭ４０３は、ＣＰＵ４０１を起動するためのプログラムを含む各種データを記憶している。ＲＡＭ４０２は、ワークメモリとして用いられる。
【００２７】
また、再生用デバイス１０３は、不図示のプロジェクタに接続し、ディスプレイ４１３に表示される内容を投影してもよい。
【００２８】
図５は、本実施形態におけるサーバ１０２内に保存されたデータベースを示す図である。以降、各データベースについて説明する。
【００２９】
図５（ａ）は、本実施形態におけるサーバ１０２内に保存された参加者データベース５００を示す図である。参加者データベース５００には、本記録再生システムを使用するユーザ（例えば、社員全員）について、「参加者ＩＤ」、「名前」、「ユーザ名」、及び「パスワード」を予め記録しておく。「参加者ＩＤ」は、参加者データベース５００のレコードを一意に識別する値である。「名前」は、参加者の氏名を表す値である。「ユーザ名」と「パスワード」は、システムが参加者を特定するために用いるデータである。例えば、各参加者が所持する認証用カードに記録されたユーザ名とパスワードを保持しておき、カードリーダ１０６で認証用カードから読取ったユーザ名とパスワードを照合して、記録エリアに入退出したユーザを認証する。ユーザ認証は、カードリーダ１０６以外の方法を用いてもよい。例えば、顔認証で行う場合、認証用データとして個人の顔写真や顔の特徴量を参加者データベース５００に保持してもよい。
【００３０】
図５（ｂ）は、本実施形態におけるサーバ１０２内に保存された打合せデータベース５０１を示す図である。打合せデータベース５０１は、「打合せＩＤ」、「参加者」、「開始日時」、「終了日時」、「ファイルパス」を打合せ毎に保持し、打合せが発生する毎にレコードが新規に追加される。「打合せＩＤ」は、打合せデータベース５０１のレコードを一意に識別する値である。「参加者」は、打合せに参加した参加者を表す値（例えば、参加者の氏名）である。「開始日時」は、打合せが開始した日時を表す値である。「終了日時」は、打合せが終了した日時を表す値である。「ファイルパス」は、打合せの映像データを記録したファイルの保存場所とファイル名を表す値である。
【００３１】
図５（ｃ）は、本実施形態におけるサーバ１０２内に保存された在室時間データベース５０２を示す図である。在室時間データベース５０２は、打合せの参加者毎に、「在室時間ＩＤ」、「打合せＩＤ」、「参加者」、「入室時間」、及び「退室時間」を保持する。「在室時間ＩＤ」は、在室時間データベース５０２のレコードを一意に識別する値であり、レコードが追加されるたびに付与される。「打合せＩＤ」は、打合せデータベース５０１の打合せＩＤに対応する値であり、参加者が参加した打合せを識別する値である。「参加者」は、打合せに参加した参加者を表す値である。「入室時間」は、参加者が記録エリアに入室した時間を表し、打合せデータベース５０１における打合せの開始日時からの相対時間（経過時間）で表される。「退室時間」は、参加者が記録エリアから退室した時間を表し、打合せデータベース５０１における開始日時からの相対時間で表される。
【００３２】
次に、図６を参照して、本実施形態における記録再生システムの動作について説明する。本記録再生システムの動作は、映像データの記録処理、映像データの再生可能時間帯決定処理、及び映像データの配信処理を含む。
【００３３】
図６は、本実施形態における映像データの記録処理のフローチャートを示す図である。本フローチャートで示す手順は、記録用デバイス１０１のＲＯＭ２０３、ＲＡＭ２０２、外部メモリ（ＨＤＤなど）２１３のいずれかに格納されたプログラムを、ＣＰＵ２０１が実行することにより実施される。
【００３４】
最初に、ステップＳ６００において、記録用デバイス１０１は、会議の参加者が記録エリアに入退出したか判定を行う。入退出の判定は、記録用デバイス１０１に接続されたカードリーダ１０６で認証用カードから参加者の情報を読取ることで行う。また、入退出の判定は、他の方法で行っても良く、例えば記録エリアの出入口にカメラ１０４を設置して、入退出する参加者の顔を撮影し、顔認証を行うことで判定してもよい。
【００３５】
次いで、ステップＳ６０１において、記録用デバイス１０１は、入退出した参加者を特定する。具体的には、カードリーダ１０６で読取った参加者のユーザ名及びパスワードと、参加者データベース５００に保持されたユーザ名及びパスワードを比較し、合致した参加者を特定する。顔認証の場合は、カメラ１０４で撮影した参加者の顔の画像と、参加者データベース５００に保持された顔写真や顔の特徴量を比較し、合致した参加者を特定する。
【００３６】
次いで、ステップＳ６０２において、記録用デバイス１０１は、特定した参加者が在室リストに含まれているか判定する。図１０は、記録用デバイス１０１に保持されるデータ構造である在室リスト１０００を示す図である。在室リスト１０００には、記録エリア内にいる参加者が記録されており、参加者の入退出の度に更新される。特定した参加者が在室リスト１０００に含まれていない場合、すなわち、特定した参加者が新たに記録エリアに入室した場合、ステップＳ６０３へ進む。一方、特定した参加者が在室リスト１０００に含まれている場合、すなわち、特定した参加者が記録エリアから退室した場合は、ステップＳ６０８へ進む。
【００３７】
特定した参加者が入室した場合は、ステップＳ６０３において、記録用デバイス１０１は、特定した参加者を在室リスト１０００に追加する。次いで、ステップＳ６０４において、記録用デバイス１０１は、参加者の入室時間を取得し、サーバ１０２に対して在室時間データベース５０２への入室時間の保存指示をする。
【００３８】
次いで、ステップＳ６０５において、記録用デバイス１０１は、在室リスト１０００に含まれる参加者の人数が１人であるか判定する。１人である場合、ステップＳ６０６に進み、そうでない場合はステップＳ６００へ戻る。
【００３９】
参加者が１人である場合、ステップＳ６０６において、記録用デバイス１０１は、カメラ１０４及びマイク１０５を用いて、映像データの記録を開始する。次いで、ステップＳ６０７において、記録用デバイス１０１は、サーバ１０２に対して打合せデータベース５０１へ新規レコードの作成指示をする。その後、処理はステップＳ６００に戻る。
【００４０】
一方、ステップＳ６０２において、特定した参加者が在室リスト１０００に含まれている場合、すなわち、特定した参加者が退出した場合は、ステップＳ６０８において、記録用デバイス１０１は、特定した参加者を在室リスト１０００から削除する。次いで、ステップＳ６０９において、記録用デバイス１０１は、参加者の退室時間を取得し、サーバ１０２に対して在室時間データベース５０２への退室時間の保存指示をする。
【００４１】
次いで、ステップＳ６１０において、在室リスト１０００に含まれる参加者の人数が０人であるか判定する。０人である場合、ステップＳ６１１に進み、そうでない場合はステップＳ６００へ戻る。参加者が０人である場合は、ステップＳ６１１において、記録用デバイス１０１は、映像データの記録を終了し、処理を終了する。
【００４２】
以上説明したように、本実施形態に係る記録再生システムは、参加者毎の入退出時間を記録しながら、記録エリアにおける会議や打合せの様子を撮影し、映像データを記録する。また、映像データの記録は、記録エリア内の参加者の人数に応じて行なう。次いで、図７を参照して、本実施形態に係る映像データの再生可能時間帯決定処理について説明する。
【００４３】
図７は、本実施形態における映像データの再生可能時間帯決定処理のフローチャートを示す図である。本フローチャートで示す手順は、サーバ１０２のＲＯＭ３０３、ＲＡＭ３０２、外部メモリ（ＨＤＤなど）３１２のいずれかに格納されたプログラムを、ＣＰＵ３０１が実行することにより実施される。
【００４４】
最初に、ステップＳ７００において、サーバ１０２は再生用デバイス１０３から、記録された映像データの再生を望む閲覧者のユーザ情報を取得する。ユーザ情報とは、閲覧者が再生用デバイス１０３上で入力したユーザ名及びパスワードである。入力したユーザ名及びパスワードは、サーバ１０２へ送信される。
【００４５】
次いで、ステップＳ７０１において、サーバ１０２は取得したユーザ名及びパスワードと、参加者データベース５００のユーザ名とパスワードを照合して、ユーザ認証を行う。ユーザ名とパスワードが合致し、ユーザ認証が成功した場合、ステップＳ７０３へ進み、そうでない場合は、ステップＳ７０２において、サーバ１０２は再生用デバイス１０３に対してユーザ認証が失敗した旨を通知する。
【００４６】
ユーザ認証が成功した場合、ステップＳ７０３において、サーバ１０２は再生用デバイス１０３に対して、打合せデータベース５０１に保持された映像データについての情報を送信する。映像データの情報には、例えば、打合せＩＤ、打合せの参加者、開始日時、終了日時、映像データのファイルパスが含まれる。再生用デバイス１０３は、サーバ１０２から受信した映像データのリストをディスプレイ４１３に表示する。
【００４７】
次いで、ステップＳ７０４において、サーバ１０２は、再生用デバイス１０３から映像データに対する再生指示コマンドを取得する。再生指示コマンドとは、再生用デバイス１０３のディスプレイ４１３に表示された映像データのリストから、閲覧者がマウス４１１等で選択した映像データの再生指示要求である。再生指示コマンドは、選択した映像データを特定するための打合せＩＤを含む。
【００４８】
ステップＳ７０５において、サーバ１０２は、再生指示をした閲覧者が、選択した映像データの参加者であるか判定する。具体的には、選択した映像データの打合せＩＤを使用して、打合せデータベース５０１に含まれるレコードを特定し、特定したレコードの参加者に、再生指示をした閲覧者が含まれるか判定する。選択した映像データの参加者で無い場合は、ステップＳ７０６へ進み、再生用デバイス１０３に対して映像データを再生できない旨を通知し、処理を終了する。一方、再生指示をした閲覧者が、選択した映像データの参加者である場合、ステップＳ７０７において、サーバ１０２は、在室時間データベース５０２から、選択した映像データの打合せＩＤと一致し、かつ再生指示をした閲覧者のレコードを抽出する。抽出されたレコードの入室時間から退室時間の時間帯（以下、入退出時間ともいう）が、選択した映像データの再生可能時間帯として決定される。
【００４９】
次いで、ステップＳ７０８において、サーバ１０２は、決定した再生可能時間帯に基づいて映像データ配信処理を行う。映像データ配信処理の詳細は、図８のフローチャートを用いて後述する。
【００５０】
なお、上記ステップＳ７０３において送信する映像データについての情報は、打合せデータベース５０１に保持されたすべての映像データを対象としてもよいが、再生指示をした閲覧者が参加者である映像データのみを抽出し、送信してもよい。
【００５１】
ここで、上述したフローチャートの具体例を、図９を用いて説明する。図９は、再生用デバイス１０３のディスプレイ４１３上での映像データの再生画面の一例である。ここでは、図５に示した参加者Ｃが映像データの再生を望む閲覧者であり、映像データ「Kiroku1.mp4」に対する再生指示を行う場合を想定する。
【００５２】
まず、参加者Ｃは、再生用デバイス１０３上でユーザ情報を入力する。サーバ１０２は、再生用デバイス１０３から、入力されたユーザ名（ｃｃｃ）とパスワード（ａ１ｂ２ｃ３）を取得する（ステップＳ７００）。サーバ１０２は、取得したユーザ名及びパスワードと、参加者データベース５００内の各レコードのユーザ名及びパスワードを比較し、一致するレコードが存在するか判定し、ユーザ認証を行なう（ステップＳ７０１）。参加者Ｃのユーザ情報が認証された後、サーバ１０２は、打合せデータベース５０１内に保持された映像データについての情報のリストを再生用デバイス１０３に送信する（ステップＳ７０３）。サーバ１０２は、図９（ａ）に示すように、映像データについての情報のリストを含む、映像データの選択画面９００を再生用デバイス１０３上に表示させる。参加者Ｃは、選択画面９００の入力欄に打合せの日時及び参加者名を入力し、映像データのリストから所望の映像データを検索し、検索結果を表示させることができる。
【００５３】
次いで、参加者Ｃは、選択画面９００に表示された検索結果から閲覧したい映像データ「Kiroku1.mp4」を選択する。再生用デバイス１０３は、選択された映像データの打合せＩＤ「１」を再生指示コマンドに含めて、サーバ１０２へ送信する（ステップＳ７０４）。サーバ１０２は、打合せデータベース５０１における打合せＩＤ「１」のレコードの「参加者」に参加者Ｃが含まれているか判定する（ステップＳ７０５）。参加者Ｃは打合せＩＤ「１」の参加者であるため、次いで、在室時間データベース５０２から打合せＩＤが「１」であり、かつ、参加者が「Ｃ」であるレコードを抽出する。ここでは、在室時間ＩＤが「３」と「４」のレコードが抽出される。そして、抽出されたレコードの入室時間から退室時間の時間帯（入退出時間）を、映像データの再生可能時間帯として決定する（ステップＳ７０７）。ここでは、「５：００〜１５：００」と「２０：００〜３０：００」が再生可能時間帯となる。再生可能時間帯は、図９（ｂ）に示すように、映像データ再生画面９０１上のシークバー９０７で示され、シークバー９０７の斜線でない時間帯９０３、９０６が参加者Ｃの再生可能時間帯となる。再生可能時間帯の決定後、映像データの配信処理（ステップＳ７０８）に進む。
【００５４】
以上説明したように、本実施形態における記録再生システムは、映像データの再生を望む閲覧者を会議の参加者の中から特定し、特定された閲覧者の入退出時間に応じて、映像データの再生可能時間帯を決定する。次いで、図８を参照して、本実施形態における映像データの配信処理について説明する。
【００５５】
図８は、本実施形態における映像データ配信処理のフローチャートを示す図である。本フローチャートで示す手順は、サーバ１０２のＲＯＭ３０３、ＲＡＭ３０２、外部メモリ（ＨＤＤなど）３１２のいずれかに格納されたプログラムを、ＣＰＵ３０１が実行することにより実施される。
【００５６】
最初に、ステップＳ８００において、サーバ１０２は映像データの配信を開始する。サーバ１０２は、打合せデータベース５０１に記憶されたファイルパスに従って、再生指示要求に含まれた打合せＩＤに対応する映像データを記録用デバイス１０１から配信する。映像データの配信は、図７のステップＳ７０７で抽出されたレコードの内、在室時間ＩＤの値が小さい順に、入室時間から退室時間までの配信を行なう。上述した参加者Ｃの例によると、図５（ｃ）の在室時間データベース５０２から、参加者が「Ｃ」であり、再生時間ＩＤが「３」と「４」のレコードが抽出される。したがって、再生時間ＩＤが「３」である再生時間「５：００〜１５：００」が最初に配信され、次いで、再生時間ＩＤが「４」である再生時間「２０：００〜３０：００」が配信される。
【００５７】
次いで、ステップＳ８０１において、サーバ１０２は、再生用デバイス１０３から再生時間の変更要求を受信したか判定する。再生時間の変更要求とは、閲覧者が再生用デバイス１０３のディスプレイ４１３上で、シークバー９０７の任意の箇所を指定すると発生する要求であり、指定された箇所の再生時間がサーバ１０２へ送信される。変更要求を受信した場合はステップＳ８０２へ進み、受信しなかった場合はステップＳ８０５へ進む。
【００５８】
ステップＳ８０２において、サーバ１０２は、変更要求された変更後の再生時間が、再生可能時間帯に含まれるか判定する。判定は、変更後の再生時間が、図７のステップＳ７０７で抽出されたレコードの入退室時間に含まれているか否かで行う。上述した参加者Ｃの例によると、変更後の再生時間が、再生時間ＩＤが「３」と「４」のレコードにおける入退室時間に含まれているか否かを判定する。変更後の再生時間が入退室時間に含まれている場合、すなわち、再生可能時間帯９０３、９０６であった場合、ステップＳ８０３へ進み、サーバ１０２は指定された時間から映像データを配信する。一方、再生不可時間帯９０２、９０５であった場合、ステップＳ８０４へ進み、サーバ１０２は、再生用デバイス１０３に対して指定された時間の映像を再生できない旨の通知を行う。再生用デバイス１０３のディスプレイ４１３上には、図９（ｃ）に示すように通知９０８を表示させる。
【００５９】
次いで、ステップＳ８０５において、サーバ１０２は、映像データの再生が、再生不可時間帯へ移行したか判定を行う。具体的には、再生中の映像データの再生時間が、再生中の在室時間ＩＤの退室時間を経過した場合に、再生不可時間帯へ移行したと判定する。再生不可時間帯へ移行した場合、ステップＳ８０６へ進み、サーバ１０２は、次の再生可能時間帯が存在するか判定する。次の再生可能時間帯が存在しない場合、映像データの再生を終了し、処理を終了する。一方、次の再生可能時間帯が存在する場合、ステップＳ８０７へ進み、サーバ１０２は、次の再生可能時間帯から映像データの配信を行う。次の再生可能時間帯とは、再生中の在室時間ＩＤの、次の在室時間ＩＤを持つレコードの入退室時間を指す。上述した参加者Ｃの例によると、再生時間ＩＤ「３」を再生中の場合、次の再生可能時間帯は、再生時間ＩＤ「４」の「２０：００〜３０：００」となる。サーバ１０２は、次の在室時間ＩＤを持つレコードの入室時間から映像データの配信を行う。
【００６０】
次いで、ステップＳ８０８において、サーバ１０２は、映像データを打合せの終了日時まで配信したか判定を行う。終了日時まで配信してない場合、ステップＳ８０１に戻り、終了日時まで配信した場合は処理を終了する。
【００６１】
以上説明したように、本実施形態によると、映像データと共に、会議室に入退出する参加者の入退出時間を記録しておき、映像データを再生する際には、参加者の入退出時間に応じて映像データの再生可能時間帯を決定し、映像データを配信する。再生可能時間帯は、映像データの再生を望む閲覧者が会議に参加していた時間帯となるため、機密内容が漏えいするようなセキュリティの問題を解消することができる。
【００６２】
（第２の実施形態）
次に、本発明の第２の実施形態について説明する。上記第１の実施形態では、映像データの再生を望む閲覧者の入退出時間を基に、映像データの再生可能時間帯を決定した。本実施形態では、映像データの再生時に、映像データの再生を望む閲覧者と共に映像データを閲覧している他の閲覧者の入退出時間も考慮して、映像データの再生可能時間帯を決定する。
【００６３】
図１１は、本実施形態における映像データの再生時間帯決定処理のフローチャートを示す図である。本フローチャートで示す手順は、サーバ１０２のＲＯＭ３０３、ＲＡＭ３０２、外部メモリ（ＨＤＤなど）３１２のいずれかに格納されたプログラムを、ＣＰＵ３０１が実行することにより実施される。
【００６４】
ここでは、上記第１の実施形態の図７に示したフローチャートと異なる処理のみを説明する。フローチャートの説明では、具体例として、映像データを再生する場に閲覧者Ａ、Ｃ、Ｄが入室しており、閲覧者Ｃが再生用デバイス１０３で打合せＩＤ「１」の映像データ「Kiroku1.mp4」を再生する場合を想定する。映像データを再生する際にも在室リスト１０００を使用し、ここでは、閲覧者Ａ、Ｃ、Ｄが在室リスト１０００に記録されている。本実施形態では、ステップ７０５において、再生指示をした閲覧者が参加者Ｃであり、選択した映像データの参加者であると判定した場合に、ステップ１１００に進む。
【００６５】
ステップＳ１１００において、サーバ１０２は、選択した映像データの参加者であり、かつ映像データを再生する場にいる閲覧者を特定する。具体的には、打合せデータベース５０１から、打合せＩＤが「１」の映像データ「Kiroku1.mp4」の参加者は、「Ａ」、「Ｂ」、「Ｃ」であることがわかる。また、映像データを再生する場にいる閲覧者は、記録用デバイス１０１に保持された在室リスト１０００を参照することで、閲覧者Ａ、Ｃ、Ｄであることがわかる。この場合、どちらにも含まれる参加者Ａ、Ｃが特定される。なお、映像データを再生する場にいる閲覧者は、カメラ１０４を用いて顔認証を行なうことにより特定してもよい。
【００６６】
次いで、ステップＳ１１０１において、サーバ１０２は、特定した閲覧者それぞれの入退出時間のＡＮＤをとった時間帯を再生可能時間帯とする。具体的には、図５における在室時間データベース５０２より、参加者Ａの打合せＩＤ「１」に対する入退出時間は、「０：００〜３０：００」であることがわかる。また、参加者Ｃの打合せＩＤ「１」に対する入退出時間は、「５：００〜１５：００」と「２０：００〜３０：００」であることがわかる。したがって、図１５に示すように、それぞれの入退出時間のＡＮＤをとった「５：００〜１５：００」と「２０：００〜３０：００」が、再生可能時間帯として設定される。
【００６７】
次いで、ステップＳ７０８において、サーバ１０２は、設定した再生可能時間帯にしたがって映像データ配信処理を行う。
【００６８】
以上説明したように、本実施形態では、映像データの再生を望む閲覧者の入退出時間であり、かつ、映像データを再生する場にいる他の閲覧者の入退出時間である時間帯を、再生可能時間帯として決定する。本実施形態によると、映像データを再生する際に、会議に参加していた他の閲覧者の入退出時間も考慮することで、不用意に映像データを再生し、機密内容が漏洩してしまうことを防ぐことができる。
【００６９】
（第３の実施形態）
次に、本発明の第３の実施形態について説明する。上記第１の実施形態では、映像データの再生を望む閲覧者の入退出時間に基づいて、映像データを配信した。また、上記第２の実施形態では、映像データを再生する場にいる閲覧者それぞれの入退出時間のＡＮＤをとって再生可能時間帯を設定し、映像データを配信した。具体的には、参加者Ａ、Ｃの入退出時間のＡＮＤをとって、映像データの「５：００〜１５：００」と「２０：００〜３０：００」の時間帯を再生可能時間帯とした。したがって、「０：００〜５：００」及び「１５：００〜２０：００」の時間帯は再生不可時間帯となり、映像データの配信中に閲覧者がその時間帯を指定しても、映像データを再生することはできなかった。そこで、本実施形態では、変更要求された変更後の再生時間が再生不可時間帯であっても、変更後の再生時間が入退出時間に含まれており、再生可能な他の参加者（例えば、参加者Ａ）の許可を得ることで、指定された時間からの映像データの再生を可能とする。
【００７０】
図１２は、本実施形態における映像データ配信処理のフローチャートを示す図である。本フローチャートで示す手順は、サーバ１０２のＲＯＭ３０３、ＲＡＭ３０２、外部メモリ（ＨＤＤなど）３１２のいずれかに格納されたプログラムを、ＣＰＵ３０１が実行することにより実施される。
【００７１】
ここでは、図８に示したフローチャートと異なる処理のみを説明する。フローチャートの説明では、上述した具体例と同様に、映像データを再生する場に閲覧者Ａ、Ｃ、Ｄが入室しており、閲覧者Ｃが再生用デバイス１０３で打合せＩＤ「１」の「Kiroku1.mp4」を再生する場合を想定する。ここで、閲覧者Ａ、Ｃ、Dは、記録用デバイス１０１に保持された在室リスト１０００に記録されている。本実施形態では、ステップＳ８０２において、変更後の再生時間が再生不可時間帯であった場合に、ステップＳ１２００に進む。
【００７２】
ステップＳ１２００において、映像データを閲覧している閲覧者の中に、変更後の再生時間を入退出時間に含む閲覧者がいるか判定する。具体的には、映像データを再生する場にいる閲覧者を、記録用デバイス１０１に保持された在室リスト１０００を参照することで特定し、特定した閲覧者のそれぞれについて、在室時間データベース５０２の入退出時間を判定する。例えば、変更後の再生時間が閲覧者Ｃの再生不可時間帯である「１５：００〜２０：００」に含まれる場合、在室時間データベース５０２を参照して、変更後の再生時間を入退出時間に含む閲覧者がいるか判定する。ここでは、閲覧者Ａの入退出時間が「０：００〜３０：００」であるため、閲覧者Ａが特定され、ステップＳ１２０１に進む。一方、該当する閲覧者がいなかった場合は、ステップＳ８０４に進み、映像データを再生できない旨を通知する。なお、映像データを再生する場にいる閲覧者は、カメラ１０４を用いて顔認証を行なうことにより特定してもよい。
【００７３】
次いで、ステップＳ１２０１において、特定した閲覧者に対して、変更後の再生時間を含む入退出時間の再生許可の依頼を通知する。図１３は、本実施形態における、再生用デバイス１０３のディスプレイ４１３上に通知される依頼画面１３００である。依頼画面１３００は、参加者Ａの再生用デバイス１０３のディスプレイ４１３上に表示され、参加者Ａは許可もしくは不許可を選択する。
【００７４】
次いで、ステップＳ１２０２において、再生が許可された場合、すなわち閲覧者Ａが依頼画面１３００で許可を選択した場合、ステップＳ１２０３において、変更後の再生時間から映像データを配信する。一方、再生が許可されなかった場合、すなわち閲覧者Ａが依頼画面１３００で不許可を選択した場合、ステップＳ８０４において、映像データを再生できない旨を通知する。
【００７５】
以上説明したように、本実施形態によると、変更後の再生時間が再生不可時間帯に含まれていたとしても、変更後の再生時間を入退出時間に含む閲覧者を特定し、許可を得ることで、映像データの配信を行ない、その内容を共有することができる。
【００７６】
（第４の実施形態）
次に、本発明の第４の実施形態について説明する。上記第２の実施形態では、映像データを再生する場にいる閲覧者それぞれの入退出時間のＡＮＤをとった時間帯を、再生可能時間帯として設定した。また、上記第３の実施形態では、変更後の再生時間が再生不可時間帯に含まれていた場合、変更後の再生時間を入退出時間に含む閲覧者の許可を得ることで、変更後の再生時間から映像データを配信した。本実施形態では、映像データを再生する場にいる閲覧者それぞれの入退出時間のＯＲをとることで、再生可能時間帯を設定する。そうすることで、映像データを再生する場にいる閲覧者のいずれかの入退出時間に含まれる時間帯であれば、許可を取ることなく、映像データを再生することができる。
【００７７】
図１４は、本実施形態における映像データの再生時間帯決定処理のフローチャートを示す図である。本フローチャートで示す手順は、サーバ１０２のＲＯＭ３０３、ＲＡＭ３０２、外部メモリ（ＨＤＤなど）３１２のいずれかに格納されたプログラムを、ＣＰＵ３０１が実行することにより実施される。
【００７８】
ここでは、上記第１の実施形態の図７に示したフローチャートと異なる処理のみを説明する。フローチャートの説明では、上述した具体例と同様に、映像データを再生する場に閲覧者Ａ、Ｃ、Ｄが入室しており、閲覧者Ｃが再生用デバイス１０３で打合せＩＤ「１」の映像データ「Kiroku1.mp4」を再生する場合を想定する。閲覧者Ａ、Ｃ、Ｄは、記録用デバイス１０１に保持された在室リスト１０００に記録されている。本実施形態では、ステップＳ７０５において、再生指示をした閲覧者が、選択した映像データの参加者であると判定した場合に、ステップＳ１４００に進む。
【００７９】
ステップＳ１４００において、サーバ１０２は、選択した映像データの参加者であり、かつ映像データを再生する場にいる閲覧者を特定する。具体的には、打合せデータベース５０１から、打合せＩＤが「１」の映像データ「Kiroku1.mp4」の参加者は、「Ａ」、「Ｂ」、「Ｃ」であることがわかる。また、映像データを再生する場にいる閲覧者は、記録用デバイス１０１に保持された在室リスト１０００を参照することで、「Ａ」、「Ｃ」であることがわかる。この場合、どちらにも含まれる参加者Ａ、Ｃが特定される。なお、映像データを再生する場にいる閲覧者は、カメラ１０４を用いて顔認証を行なうことにより特定してもよい。
【００８０】
次いで、ステップＳ１４０１において、サーバ１０２は、特定した閲覧者それぞれの入退出時間のＯＲをとった時間帯を再生可能時間帯とする。具体例によると、図５における在室時間データベース５０２より、参加者Ａの打合せＩＤ「１」に対する入退出時間は、「０：００〜３０：００」であることがわかる。また、参加者Ｃの打合せＩＤ「１」に対する入退出時間は、「５：００〜１５：００」と「２０：００〜３０：００」であることがわかる。したがって、図１６に示すように、それぞれの入退出時間のＯＲをとった「０：００〜３０：００」が、再生可能時間帯として設定される。
【００８１】
次いで、ステップＳ７０８において、サーバ１０２は、設定した再生可能時間帯にしたがって映像データ配信処理を行う。
【００８２】
以上説明したように、本実施形態では、映像データの再生を望む閲覧者の入退出時間、あるいは、映像データを再生する場にいる他の閲覧者の入退出時間である時間帯を、再生可能時間帯として決定する。本実施形態によると、映像データを再生する場にいる閲覧者のいずれかの入退出時間に含まれる時間帯であれば、再生可能時間帯として設定することで、映像データを配信し、その内容を共有することができる。
【００８３】
（その他の実施形態）
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2016111600.tif 000003
【図２】
2016111600.tif 000004
【図３】
2016111600.tif 000005
【図４】
2016111600.tif 000006
【図５】
2016111600.tif 000007
【図６】
2016111600.tif 000008
【図７】
2016111600.tif 000009
【図８】
2016111600.tif 000010
【図９】
2016111600.tif 000011
【図１０】
2016111600.tif 000012
【図１１】
2016111600.tif 000013
【図１２】
2016111600.tif 000014
【図１３】
2016111600.tif 000015
【図１４】
2016111600.tif 000016
【図１５】
2016111600.tif 000017
【図１６】
2016111600.tif 000018